(57)【要約】【課題】自転車ライダーの股間を基点とした足裏までの足長さが左右で異なる場合でも、自転車用靴内の空間を犠牲にすること無く、比較的安価で容易且つ明瞭に、股間からクリートのペダル接地面までの寸法を出来る限り左右均等に矯正する。【解決手段】自転車用靴と自転車用ステップイン式又はクリップレスペダルに使用されるクリートとの間に、クリートの形状や材質に応じて、しかもそれぞれに広い範囲内で細分化された厚さの異なる自転車用ペダルにおける足長さ矯正プレートの中から、ライダーの股間を基点とした足裏までの左右の足長さの差と同一寸法かそれに近い厚さのものを選択して挿入、自転車用靴底にクリートと共に取り付けボルトで固定する。【選択図】  図１
0003127708.tif 000002
【実用新案登録請求の範囲】
【請求項１】
自転車用靴とクリートの間に任意の厚さのプレートが挿入されることを特徴とする自転車用ペダルにおける足長さ矯正プレート。
【考案の詳細な説明】
【技術分野】
【０００１】
本考案は、自転車用ペダル、特に、自転車用ステップイン式又はクリップレスペダルに使用されるクリートと共に、自転車用靴底に固定可能な自転車用ペダルにおける足長さ矯正プレートに関する。
【背景技術】
【０００２】
人間の股間を基点とした股下の足長さが、左右同一寸法であるとは限らない。左右で足長さの異なるライダーが自転車に乗車し、ペダルを介して左右の自転車用クランクを回転させた場合、主に腰から下の各部位が受ける人体への負荷は左右で異なることが考えられる。走行が長時間に及ぶ場合、又は競技用自転車である場合、左右不均衡な状態での運動は人体各部へ過度のストレスをもたらし、それにより膝の故障等様々な人体の故障を招くことがある。
【０００３】
従来、自転車用ステップイン式又はクリップレスペダルに対応するクリートは、左右同一の高さあるいは厚みを有すものが使用されている。このため、自転車用靴の中敷きや靴底の厚さが左右で異なるもの、さらには左右で異なるペダルを使用することで、左右で異なる股間を基点とした股下の足長さを同一寸法に近づくよう矯正し、それによって足の動きを左右均等にしようという試みがなされてきた。しかし、中敷きの厚さを増すにも靴内の空間には限界が有り、それに左右の足長さの差が著しく大きなライダーにとっては有効な解決策にはならない。また、新たにもう１ペアの自転車用靴やペダルを入手し、その片方のみを使用するということは、無駄が多く有効な解決策とはいえない。
【０００４】
なお、本願考案に関連する公知技術として、次の特許文献１、特許文献２，特許文献３、特許文献４を挙げることができる。
【０００５】
【特許文献１】特開２００３−２５２２７９号公報
【特許文献２】特開２００２−２０５６８０号公報
【特許文献３】特開平１１−１０３９０２号公報
【特許文献４】特開平５−１３１９６８号公報
【０００６】
特許文献２の特開２００２−２０５６８０号公報内で使用されている調整プレートとは、ペダル本体に存在するもので、自転車用靴をペダルにステップイン又はペダルからステップアウトする際に必要な、クリートのペダルへの踏み込み力又はペダルからの解除力の強弱を調整する目的で使用されるプレートであるから、本考案のプレートとは異なる。
【０００７】
特許文献３の特開平１１−１０３９０２号公報内で使用されているクリート取付プレートとは、自転車用靴の靴底内部に存在するもので、クリートを靴底にボルトで取り付け固定することを目的とした、クリートナットを備えたプレートのことであるから、本考案のプレートとは異なる。
【考案の開示】
【考案が解決しようとする課題】
【０００８】
上述の如く、従来技術に係わる自転車用ステップイン式又はクリップレスペダルに対応するクリートでは、左右のクリートの高さあるいは厚みが同一であるため、股間を基点とした股下の左右の足長さが異なるライダーには、自転車走行時に左右不均衡な下半身の動きが生じてしまう。その結果、自転車走行中に掛かる人体各部位への負荷にも不均衡が発生し、ペダルを介した自転車用クランクの回転運動の不均衡によるパワーロスと共に人体への悪影響も故障という形で発生する。
【０００９】
このため、従来から自転車用靴に使用する中敷きの厚さを左右で換えてみたり、左右で靴底の厚さが異なる自転車用靴や、クリートがペダルと接触する面からペダル軸中心までの最短寸法が異なるペダルを新たに揃えて使用するという試みがなされてきた。しかしこれらでは、足長さを左右で同じ寸法に矯正するための微調整が困難あるいは不可能な場合もある。また、左右で足長さが著しく異なるライダーにとって、そのギャップを埋めるのに充分な高さあるいは厚みを確保することは難しい。
【００１０】
本考案は、このような点に鑑みて成されたものであり、その目的は、ライダーの股間を基点とした股下の左右の足長さの差が著しく大きな場合であっても、靴内の空間を犠牲にすること無く、比較的安価で容易且つ明瞭にそのギャップを埋めることで、基点となるライダーの股間からクリートのペダル接地面までの距離を可能な限り左右均等に矯正することにある。
【課題を解決するための手段】
【００１１】
上述の目的を達成する本考案の自転車用ペダルにおける足長さ矯正プレートは、ライダーの股間を基点とした股下の左右の足長さの差に応じた高さあるいは厚みのものが選択可能で、自転車用靴の底面にあるクリート取り付け面とクリートとの間に挿入され、クリートと共に靴底へクリート取付ボルトで固定される。
【考案の効果】
【００１２】
以上説明したように本考案によれば、自転車用ペダルにおける足長さ矯正プレートは、自転車用靴の底面にあるクリート取り付け面とクリートとの間に挿入されるが、ライダーの股間を基点とした左右の足長さの差に応じた高さあるいは厚みを持つプレートを選択し、クリートと共にクリート取付ボルトで靴底へ固定されることになる。これによって、自転車用靴の内部空間には変化が一切生じず、従って、付属品より厚みのある中敷きを使用した際に生じる圧迫感に悩まされることはない。また片側と異なる自転車用靴やペダルを新たに入手する必要もなく、比較的安価で且つ確実に左右の足長さを可能な限り同一寸法近づけて矯正することが可能である。これによって、ライダーの下半身が行うペダルを介した自転車用クランクの回転運動を極めて左右均衡状態に近づけることが可能となり、ペダルへの入力が左右均等に近づくことでパワーロスが減少すると共に、どちらか片足へ偏った負荷が掛かるような不安定な状態も改善される。これらのことから、運動効率をさらに高めること、運動による人体各部位あるいは局部への偏った負荷を低減させることの両方に極めて有効である。
【考案を実施するための最良の形態】
【００１３】
以下、本考案の実施の形態を図面に基づき詳細に説明する。
【００１４】
図１は、自転車用右靴底に自転車用ペダルにおける足長さ矯正プレートとクリートを取り付け、自転車用右ステップイン式又はクリップレスペダルにステップインした状態を示す側面図、図２はその自転車用右靴を自転車用右ステップイン式又はクリップレスペダルからステップアウトした状態を示す側面図、図３は図２の分解斜視図、図４は自転車用ペダルにおける足長さ矯正プレートの平面図である。
【００１５】
図１、図２に示すように、本自転車用ペダルにおける足長さ矯正プレート１は、クリート２と自転車用靴４の底面にあるクリート取り付け面との間に挿入され、図３のようにクリート２と共に自転車用靴４の底面にあるクリート取り付け面にクリートワッシャー６とクリート取付ボルト７を用いて固定される。
【００１６】
図４は、代表的な自転車用ステップイン式又はクリップレスペダル３のクリート２に対応した形状の本自転車用ペダルにおける足長さ矯正プレート１の平面図であるが、クリート２と同調して、自転車用靴４の底面にあるクリート取り付け面上で限られた範囲内での移動及び微調整が可能である。これは、本自転車用ペダルにおける足長さ矯正プレート１に設けられた貫通穴８の位置及び寸法が、クリート２に存在する貫通穴と同一であることによる。
【実施例１】
【００１７】
例えば、ライダーの股間を基点とした股下の左右の足長さを比較して、右足の長さが左足より２０ｍｍ短かったとする。この場合、自転車用ペダルにおける足長さ矯正プレート１の厚さが２０ｍｍのものを選択し、それを右側のクリート２と自転車用靴４の間に挿入し、共にクリートワッシャー６とクリート取付ボルト７を用いて自転車用靴４の底面にあるクリート取り付け面に固定する。この結果、このライダーの左右の足長さが左右均等に極めて近い状態に状態に矯正され、当プレートを使用しなかった場合と比較して、自転車走行時の運動効率が改善され、また人体各部位が受ける負荷もより均等化されることになる。具体的には、ペダルへの入力が左右均等に近づくことで、ペダルを介した無駄が無く滑らかな自転車用クランクの回転運動が可能となり、ライダーの持つパワーをより有効に活用できるようになる。また、左右を比べて短い方の足に発生する可能性が高い、筋肉の痙攣や各関節の故障等を軽減させることに有効である。
【００１８】
以上、本考案の実施の形態及び実施例を説明したが、本考案の範囲はこれに限定されるものではない。例えば、自転車用ペダルにおける足長さ矯正プレートの材質、形状、貫通穴は、使用される自転車用ステップイン式又はクリップレスペダルの材質、形状、貫通穴に応じて適宜選択、設計、成形されるものである。
【図面の簡単な説明】
【００１９】
【図１】自転車用右靴底に、自転車用ペダルにおける足長さ矯正プレートとクリートを取り付け、自転車用右ステップイン式又はクリップレスペダルにステップインした状態を示す側面図である。
【図２】図１の状態から、その自転車用右靴を自転車用右ステップイン式又はクリップレスペダルからステップアウトした状態を示す側面図である。
【図３】自転車用ペダルにおける足長さ矯正プレートとクリートの分解斜視図である。
【図４】自転車用ペダルにおける足長さ矯正プレートの平面図である。
【符号の説明】
【００２０】
１      自転車用ペダルにおける足長さ矯正プレート
２      クリート
３      自転車用ステップイン式又はクリップレスペダル
４      自転車用靴
５      自転車用クランク
６      クリートワッシャー
７      クリート取付ボルト
８      貫通穴
【図１】
0003127708.tif 000003
【図２】
0003127708.tif 000004
【図３】
0003127708.tif 000005
【図４】
0003127708.tif 000006
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
自転車用靴とクリートの間に挿入され、クリートと共に靴底に固定できる構造を有する足長さ矯正プレート。
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
任意の厚みを有するがクリートと同一寸法の外形形状を有し、上面は自転車用靴底に、下面はクリート上面に密着することから平面形状であり、クリートと同じ位置に同一寸法で設けられたクリート取付ボルト用貫通穴を利用して、クリート取付ボルトでクリートと共に自転車用靴底に固定することで上下両面が密着し、クリートが任意の厚み分自転車用靴底から離れるという構造を有する足長さ矯正プレート。